(57)【要約】【課題】ベッドに対してそのフレーム内の空気の調整機能ないし改質機能を容易且つ適切に付与できるようにする。【解決手段】一面２ａを幅側構成板体１３の内面１３ｂに添わせた状態でフレーム１１内に備え付け可能に構成されたボード体２と、連結具１４の屈曲部１４ａを挟んだ他方側１４ｃと幅側構成板体１３の内面との間に挟み入れられる外側板部５とこの外側板部５との間にボード体２の端部を保持する間隔を開けて外側板部５の内方に位置される内側板部６とを一体に備えてなる左側保持部材３および右側保持部材４とを備える。【選択図】図３
2019162330.tif 000002
【特許請求の範囲】
【請求項１】
ベッドのフレームを構成するベッドの長さ側構成板体と、ベットの幅側構成板体とを、水平断面Ｌ字状をなすと共に屈曲部を挟んだ一方側を長さ側構成板体の端部の内面に固定した連結具における前記屈曲部を挟んだ他方側に形成した通し部を通じて軸状固定体を前記幅側構成板体に止め付けることで組み合わせるようにしてなるベッドに対して、前記フレーム内の空気の調整機能ないし改質機能を付加させるユニットであって、
一面を前記幅側構成板体の内面に添わせた状態で前記フレーム内に備え付け可能に構成された前記機能を備えたボード体と、
前記連結具の前記屈曲部を挟んだ他方側と前記幅側構成板体の内面との間に挟み入れられる外側板部と、この外側板部との間に前記ボード体の左端部を保持する間隔を開けて前記外側板部の内方に位置される内側板部とを一体に備えてなる左側保持部材と、
前記連結具の前記屈曲部を挟んだ他方側と前記幅側構成板体の内面との間に挟み入れられる外側板部と、この外側板部との間に前記ボード体の右端部を保持する間隔を開けて前記外側板部の内方に位置される内側板部とを一体に備えてなる右側保持部材と、を備えてなるベッド用オプションユニット。
【発明の詳細な説明】
【技術分野】
【０００１】
この発明は、既存のベッドに対して、調湿、消臭、空気質改善、防虫、香りの放散などの少なくとも一種以上の機能を、付加させることができるオプションユニットに関する。
【背景技術】
【０００２】
ベッドのフレームを構成するベッドの長さ側構成板体と、ベットの幅側構成板体とを、水平断面Ｌ字状をなすと共に屈曲部を挟んだ一方側を長さ側構成板体の端部の内面に固定した連結具における前記屈曲部を挟んだ他方側に形成した通し穴を通じて軸状固定体を前記幅側構成板体に止め付けることで組み合わせるようにしてなるベッドとして、特許文献１に示されるものがある。
【先行技術文献】
【特許文献】
【０００３】
【特許文献１】特許第３４１８３５６号公報
【発明の概要】
【発明が解決しようとする課題】
【０００４】
この発明が解決しようとする主たる問題点は、前記のような長さ側構成体と幅側構成体とを前記連結具をもって組み合わせるようにしてなるフレームを備えたベッドに対して、このフレーム内の空気の調整機能ないし改質機能を容易且つ適切に付与できるようにする点にある。
【課題を解決するための手段】
【０００５】
前記目的を達成するために、この発明にあっては、ベッド用オプションユニットを、ベッドのフレームを構成するベッドの長さ側構成板体と、ベットの幅側構成板体とを、水平断面Ｌ字状をなすと共に屈曲部を挟んだ一方側を長さ側構成板体の端部の内面に固定した連結具における前記屈曲部を挟んだ他方側に形成した通し部を通じて軸状固定体を前記幅側構成板体に止め付けることで組み合わせるようにしてなるベッドに対して、前記フレーム内の空気の調整機能ないし改質機能を付加させるユニットであって、
一面を前記幅側構成板体の内面に添わせた状態で前記フレーム内に備え付け可能に構成された前記機能を備えたボード体と、
前記連結具の前記屈曲部を挟んだ他方側と前記幅側構成板体の内面との間に挟み入れられる外側板部と、この外側板部との間に前記ボード体の左端部を保持する間隔を開けて前記外側板部の内方に位置される内側板部とを一体に備えてなる左側保持部材と、
前記連結具の前記屈曲部を挟んだ他方側と前記幅側構成板体の内面との間に挟み入れられる外側板部と、この外側板部との間に前記ボード体の右端部を保持する間隔を開けて前記外側板部の内方に位置される内側板部とを一体に備えてなる右側保持部材と、を備えてなる、ものとした。
【０００６】
サイドフレームに取り付けられた連結具の通し部に通された軸状固定体をフットフレームに本締め（ねじ込みきる）までにいたらない仮締めした状態において、左側の前記連結具の前記屈曲部を挟んだ他方側と前記幅側構成板体の内面との間に左側保持部材の外側板部を差し込む。また、右側の前記連結具の前記屈曲部を挟んだ他方側と前記幅側構成板体の内面との間に右側保持部材の外側板部を差し込む。それと共に、ボード体の左端部を左側保持部材に保持させ、かつ、ボード体の右端部を右側保持部材に保持させる。この後、前記軸状個体体を本締めすることで、サイドフレームの内面にボード体を密着させるようにしてフレーム内にボード体を備え付けることが可能となる。
【発明の効果】
【０００７】
この発明によれば、既存の前記フレームを備えたベッドに対して、調湿、消臭、空気質改善、防虫、香りの放散などの少なくとも一種以上の機能を、容易且つ適切に付加させることができる。
【図面の簡単な説明】
【０００８】
【図１】図１は、実施の形態にかかるベッド用オプションユニットの利用対象となるベッドの一例を示した斜視構成図である。
【図２】図２は、図１のベッドの分解斜視構成図である。
【図３】図３は、図１のベッドに前記オプションユニットを備えさせた状態を示した要部平面構成図である。
【図４】図４は、図１のベッドに前記オプションユニットを備えさせた状態を示した要部断面構成図である。
【図５】図５は、前記オプションユニットの斜視図である。
【図６】図６は、実施の形態にかかるベッド用オプションユニットの利用対象となるベッドの他の一例を示した斜視構成図である。
【発明を実施するための形態】
【０００９】
以下、図１〜図６に基づいて、この発明の典型的な実施の形態について説明する。この実施の形態にかかるベッド用オプションユニット１は、ベッド１０のフレーム１１を構成するベッド１０の長さ側構成板体１２と、ベッド１０の幅側構成板体１３とを、水平断面Ｌ字状をなすと共に屈曲部１４ａを挟んだ一方側１４ｂを長さ側構成板体１２の端部１２ａの内面１２ｂに固定した連結具１４における前記屈曲部１４ａを挟んだ他方側１４ｃに形成した通し部１４ｄを通じて軸状固定体１５を前記幅側構成板体１３に止め付けることで組み合わせるようにしてなるベッド１０に対して、必要に応じて前記フレーム１１内に備えられて、前記フレーム１１内の空気、より具体的には、このフレーム１１に支持される床板１６の下方の空間の空気の調整機能ないし改質機能を付加させるものである。
【００１０】
前記ベッド１０の典型的構成例の一つを図１及び図２に示す。図中符号１２’は前記長さ側構成板体１２としてのサイドフレーム、符号１３’は前記幅側構成板体１３としてのヘッドボード、符号１３”は前記幅側構成板体１３としてのフットフレームである。サイドフレーム１２’のベッド１０のヘッド側１０ｂの端部１２ａと、ベッド１０のフット側１０ａの端部１２ａとにはそれぞれ、前記連結具１４が前記のように取り付けられている。連結具１４は、典型的には金属製であり、金属の板体を成形して構成されている。連結具１４の屈曲部１４ａを挟んだ他方側１４ｃの外面は、サイドフレーム１２’の端末面１２ｃと実質的に同面上に位置される。連結具１４の屈曲部１４ａを挟んだ一方側１４ｂは、その外面をサイドフレーム１２’の内面１２ｂに密着させた状態でサイドフレーム１２’にネジ付けられるボルトなどを利用してサイドフレーム１２’に固定される。図示の例では、連結具１４の屈曲部１４ａを挟んだ他方側１４ｃには、上下にそれぞれ軸状固定体１５の通し部１４ｄが形成されている。サイドフレーム１２’とヘッドボード１３’とは、サイドフレーム１２’の連結具１４の上下の通し部１４ｄにそれぞれフレーム１１の内側となる側から通した前記軸状固定体１５としてのボルト１５ａをヘッドボード１３’に形成された通し穴１３ａに通し、ヘッドボード１３’の外面側からこの通し穴１３ａに入れ込まれるナット１７をこのボルト１５ａに螺合させることで固定されるようになっている。また、サイドフレーム１２’とフットフレーム１３”とは、サイドフレーム１２’の連結具１４の上下の通し部１４ｄにそれぞれフレーム１１の内側となる側から通したボルト１５ａをフットフレーム１３”にネジ付けることで固定されるようになっている。このように組み合わされる左右のサイドフレーム１２’と、ヘッドボード１３’と、フットフレーム１３”とから、前記フレーム１１が構成される。図中符号１２ｄで示すのは、サイドフレーム１２’の内面１２ｂに形成された床板１６の支持部であり、図１及び図２に示される典型的構成例では、この支持部１２ｄを利用してヘッド側１０ｂ及びフット側１０ａの床板１６がそれぞれ支持されるようになっている。
【００１１】
図６に示されるように、フレーム１１に対し床板１６をヘッドボード１３’の側に傾動中心を位置させるようにして傾動可能に組み合わせる場合もある。図６中、符号１８は前記傾動を可能とするヒンジ部材、符号１９はガススプリングである。このようにした場合、床板１６のフット側１０ａの端部を上方に持ち上げることで床板１６を傾動させてフレーム１１内の空間にアクセスし易くなる。
【００１２】
一組の前記ユニット１は、一面２ａを前記幅側構成板体１３の内面に添わせた状態で前記フレーム１１内に備え付け可能に構成されたボード体２と、
前記連結具１４を利用して前記ボード体２の左端部２ｂを保持する左側保持部材３と、
前記連結具１４を利用して前記ボード体２の右端部２ｃを保持する右側保持部材４との三点から構成されている。
【００１３】
一組の前記ユニット１によって、一枚のボード体２がフレーム１１内に備え付けられる。図３及び図４は、フットフレーム１３”の内側にに一枚のボード体２を備え付けた様子を示している。図示は省略するが、ヘッドボード１３’の内側にも同様にして一枚のボード体２を備え付け可能である。フットフレーム１３”の内側とヘッドボード１３’の内側とにそれぞれボード体２を備え付けるようにする場合は、二組の前記ユニット１が必要となる。
【００１４】
前記ボード体２を、調湿機能を備えたものとすれば、前記フレーム１１内の空気の湿度を一定の範囲に調整可能となる。
【００１５】
前記ボード体２を、消臭機能を備えたものとすれば、前記フレーム１１内の空気中から不要な匂い成分を除去可能となる。
【００１６】
前記ボード体２を、空気質の改質機能を備えたものとすれば、前記フレーム１１内の空気中から有害なガス成分を除去可能となる。
【００１７】
前記ボード体２を、防虫機能を備えたものとすれば、前記フレーム１１内の空気中に害虫を忌避などさせるガス成分を付与可能となる。
【００１８】
前記ボード体２を、香りの放散機能を備えたものとすれば、前記フレーム１１内の空気中に芳香を付与可能となる。
【００１９】
前記ボード体２は、こうした調湿、消臭、空気質改善、防虫、香りの放散などの少なくとも一種以上の機能を備えた公知の素材から構成される。当然のことながら、前記ボード体２は、前記機能の二種以上を備えた素材から構成しても構わない。特に、調湿、防虫機能は床板１６下方の前記フレーム１１内の空間を収納として利用する場合に有益となる。
【００２０】
前記ボード体２は、前記幅側構成板体１３の内面１３ｂ（フレーム１１内に位置される面）内に納まる上下寸法（幅寸法）と左右寸法（長さ寸法）とを持つように構成される。図示の例では、前記ボード体２は、フットフレーム１３”の左右寸法よりもやや短い左右寸法と、フットフレーム１３”の上下寸法と実質的に等しい上下寸法とを持つように構成されている。
【００２１】
一方、前記左側保持部材３は、左側のサイドフレーム１２’の前記連結具１４の前記屈曲部１４ａを挟んだ他方側１４ｃと前記幅側構成板体１３の内面１３ｂとの間に挟み入れられる外側板部５と、この外側板部５との間に前記ボード体２の左端部２ｂを保持する間隔を開けて前記外側板部５の内方に位置される内側板部６とを一体に備えている。
【００２２】
また、前記右側保持部材４は、右側のサイドフレーム１２’の前記連結具１４の前記屈曲部１４ａを挟んだ他方側１４ｃと前記幅側構成板体１３の内面との間に挟み入れられる外側板部５と、この外側板部５との間に前記ボード体２の右端部２ｃを保持する間隔を開けて前記外側板部５の内方に位置される内側板部６とを一体に備えている。
【００２３】
図示の例では、左側保持部材３と右側保持部材４とは同寸同型の構成となっており、後述の導入口８を、左側保持部材３においては右側を向けるようにして、右側保持部材４においては左側を向けるようにして、幅側構成板体１３の内面１３ｂに備えられる点のみが異なることから、以下では左側保持部材３について説明し、右側保持部材４の説明は省略する。
【００２４】
左側保持部材３は、上下方向における各位置においてぞれぞれ、水平断面を実質的に等しくした長尺材によって構成されている。左側保持部材３は、典型的には、プラスチックの押し出し成形品を前記幅側構成板体１３の上下寸法に相応した長さに切断して構成される。
【００２５】
図示の例では、内側板部６はその左右方向の寸法を、外側板部５の左右方向の寸法よりも短くする。外側板部５の左右方向中程の位置には、外側板部５及び内側板部６に実質的に直交する板面を持った連結板部７が形成されている。連結板部７の一端は外側板部５に一体化され、連結板部７の他端は内側板部６に一体化されている。内側板部６は、左端を連結板部７に一体化させ、右端と内側板部６との間を前記ボード体２の左端部２ｂの導入口８とするように形成されている。図示の例では、内側端部の右端には、内向きの折り返し部９が形成されており、実際は、この折り返し部９と内側板部６との間にボード体２の左端部２ｂが保持されるようになっている。すなわち、内側板部６の折り返し部９と外側板部５との間の距離が前記ボード体２の厚さと実質的に等しくなっている。
【００２６】
サイドフレーム１２’に取り付けられた連結具１４の通し部１４ｄに通されたボルト１５ａをフットフレーム１３”に本締め（ねじ込みきる）までにいたらない仮締めした状態において、左側の前記連結具１４の前記屈曲部１４ａを挟んだ他方側１４ｃと前記幅側構成板体１３の内面１３ｂとの間に左側保持部材３の外側板部５を差し込む。具体的には、前記連結具１４の前記屈曲部１４ａを挟んだ他方側１４ｃの縁部に左側保持部材３の連結板部７の外面が突き当たるようにして前記外側板部５の左側を前記連結具１４の前記屈曲部１４ａを挟んだ他方側１４ｃと前記幅側構成板体１３の内面１３ｂとの間に差し込む。また、右側の前記連結具１４の前記屈曲部１４ａを挟んだ他方側１４ｃと前記幅側構成板体１３の内面１３ｂとの間に右側保持部材４の外側板部５を差し込む。具体的には、前記連結具１４の前記屈曲部１４ａを挟んだ他方側１４ｃの縁部に右側保持部材４の連結板部７の外面が突き当たるようにして前記外側板部５の右側を前記連結具１４の前記屈曲部１４ａを挟んだ他方側１４ｃと前記幅側構成板体１３の内面１３ｂとの間に差し込む。それと共に、ボード体２の左端部２ｂを左側保持部材３の導入口８を利用して左側保持部材３に保持させ、かつ、ボード体２の右端部２ｃを右側保持部材４の導入口８を利用して右側保持部材４に保持させる。この後、前記ボルト１５ａを本締めすることで、サイドフレーム１２’の内面１２ｂにボード体２を近接させた状態でフレーム１１内にボード体２を備え付けることが可能となる。
【００２７】
この実施の形態にかかるベッド１０用オプションユニット１によれば、既存の前記フレーム１１を備えたベッド１０に対して、調湿、消臭、空気質改善、防虫、香りの放散などの少なくとも一種以上の機能を、容易且つ適切に付加させることができる。
【００２８】
なお、当然のことながら、本発明は以上に説明した実施態様に限定されるものではなく、本発明の目的を達成し得るすべての実施態様を含むものである。
【符号の説明】
【００２９】
２  ボード体
２ａ  一面
３  左側保持部材
４  右側保持部材
５  外側板部
６  内側板部
１１  フレーム
１３  幅側構成板体
１３ｂ  内面
１４  連結具
１４ａ  屈曲部
１４ｃ  他方側
【図１】
2019162330.tif 000003
【図２】
2019162330.tif 000004
【図３】
2019162330.tif 000005
【図４】
2019162330.tif 000006
【図５】
2019162330.tif 000007
【図６】
2019162330.tif 000008